(57)【特許請求の範囲】
【請求項１】
扉の内外両面における錠箱の装着位置に相当する個所に内外で対を成す台座を複数のねじ杆による呼付け固定手段で引き付けて固定して成る扉錠の台座取付装置において；各台座と扉の表面との間に台座の材料よりも融点の高い金属材料で成る防火板を配すること；各呼付け固定手段は内側ねじ杆、ナット及び外側ねじ杆で構成すること；内側ねじ杆は一端部に第１ねじ部及びフランジ部を有すると共に、他端部に第２ねじ部及び第３ねじ部を有すること；内側ねじ杆の第１ねじ部は一方の台座の内側に設けた第４ねじ部にねじ合わせると共に、内側ねじ杆が挿通された一方の防火板を内側ねじ杆のフランジ部と扉の一方の表面との間に挟み付けるようにすること；内側ねじ杆の他端部には扉の他方の表面に配する他方の防火板を挿通させた後、内側ねじ杆の第２ねじ部にナットをねじ合せ、扉の両表面においてそれぞれの防火板を挟持固定させると共に、一方の台座を扉の一方の表面に固定させること；及び、他方の台座に挿通させた外側ねじ杆を内側ねじ杆の第３ねじ部にねじ合せ、他方の台座を扉の他方の表面に固定させることを構成条件とする扉上の台座取付装置における防火構造。
【発明の詳細な説明】
【０００１】
【発明の属する技術分野】
この発明は、扉錠の台座取付装置における防火構造に関する。更に詳しくは、火災時に火炎が扉錠の台座部分を流通することを防ぐために開発された防火構造に関する。
【０００２】
【従来の技術】
従来の扉錠の台座取付装置としては、例えば、扉の内外両面における錠箱の装着位置に相当する個所に内外で対を成す台座（エスカチオン）を複数のねじ杆による呼付け固定手段で引き付けて固定して成るものを挙げることができる。
【０００３】
その装置によれば、扉の両表面に当接固定させる対をなす台座（エスカチオン）の一方に各ねじ杆を挿通させると共に、他方の台座の内側に該ねじ杆の先端をねじ込み、もって扉に両台座を呼び付けて固定してある。
【０００４】
しかして、台座は通常アルミニウム合金や亜鉛合金など低融点の材料で作られているので、火災が発生した際に室外側又は室内側の台座が溶融して脱落すると、扉が鋼鉄等で作られた防火扉であっても、扉の両側面間に亘って形成した錠取付用の切欠、すなわちシリンダ錠、サムターン又はハンドル等のために設けた貫通切欠きにおける火災発生側が火災に対し剥き出しとなる。
【０００５】
その為、火炎がこれらの切欠を通って反対側の台座を加熱するので、当該反対側の台座が扉面に対して傾いたり溶融するに至り、結局扉の台座取り付け部分に貫通切欠が開口し、火炎が扉の貫通切欠を通じて流通し扉の反対側を延焼させる場合が少なくない。
【０００６】
【発明が解決しようとする課題】
この発明は、扉錠の台座取付装置において、扉の一方の側から他方の側への延焼を可及的防止できるようにした防火構造を低価格で提供することを目的とする。
【０００７】
【課題を解決するための手段】
上記の目的を達成するため、この発明に係る扉錠の台座取付装置における防火構造は、扉の内外両面における錠箱の装着位置に相当する個所に内外で対を成す台座を複数のねじ杆による呼付け固定手段で引き付けて固定して成る扉錠の台座取付装置において；各台座と扉の表面との間に台座の材料よりも融点の高い金属材料で成る防火板を配すること；各呼付け固定手段は内側ねじ杆、ナット及び外側ねじ杆で構成すること；内側ねじ杆は一端部に第１ねじ部及びフランジ部を有すると共に、他端部に第２ねじ部及び第３ねじ部を有すること；内側ねじ杆の第１ねじ部は一方の台座の内側に設けた第４ねじ部にねじ合わせると共に、内側ねじ杆が挿通された一方の防火板を内側ねじ杆のフランジ部と扉の一方の表面との間に挟み付けるようにすること；内側ねじ杆の他端部には扉の他方の表面に配する他方の防火板を挿通させた後、内側ねじ杆の第２ねじ部にナットをねじ合せ、扉の両表面においてそれぞれの防火板を挟持固定させると共に、一方の台座を扉の一方の表面に固定させること；及び、他方の台座に挿通させた外側ねじ杆を内側ねじ杆の第３ねじ部にねじ合せ、他方の台座を扉の他方の表面に固定させることを構成条件とする。
【０００８】
【発明の実施の形態】
以下、図面に示す実施例に基いて、この発明について説明する。
図１において、符号１０は鋼鉄等で作られた扉、２０、２０は扉１０内の上下に設けられた錠箱、３０は各錠箱２０に後記の台座５０を貫通させて固定したシリンダ錠、４０は各錠箱２０に後記の台座５０を貫通させて装着したサムターンである。
【０００９】
また、符号５０は扉１０の内外両面における各錠箱２０の装着位置に相当する個所に内外で対をなして固定させる台座（エスカチオン）、６０は扉１０の内外で上下の台座５０、５０に枢着された操作部材である棒状ハンドル、６０ａは各棒状ハンドル６０の取付部の一つに固定したラッチ操作用の作用片、６０ｂは棒状ハンドルの戻しばねである。なお、上記した各部材は何れも周知のものである。
【００１０】
図示例の扉錠では、操作部材である棒状ハンドル６０がかなり長尺なものとされており、また、２個のシリンダ錠３０並びにサムターン４０が設けられているなどの理由で、錠箱２０は上下に２個設けてある。
【００１１】
また、台座５０は上下でそれぞれ対を成すようにして設けてあるが、操作部材をノブ又はＬ字形ハンドルとした場合は下方の錠組立部のみを設ければ済み、上方の錠組立部は省略することができる。その場合、台座５０、５０は一対設ければよいことは言うまでもない。
【００１２】
上下の錠組立部はほぼ同様の構造をなすので、以下の説明においては、主として下方の錠組立部について述べる。上下の錠組立部において同一の符号で指し示す部材ないし部位は等効の作用を呈する部材ないし部位を表わしている。
【００１３】
この発明に係る台座取付装置における防火構造においては、内外両側の扉表面とアルミニウム合金又は亜鉛合金等で作られた台座５０、５０との間には、それら台座の材料よりも融点が高い金属材料、例えば鉄板、鋼板又はステンレススチール板等で成る防火板１、１を配する。
【００１４】
各防火板１の側面形は台座５０の側面内に含まれる大きさとし、その防火板１には、図２（Ｂ）に明示するように、扉１０の貫通切欠に対応させるようにしてシリンダ錠３０、サムターン４０、ハンドル６０の作用片６０ａ及び／又は後記の内側ねじ杆２１を挿通させるための任意数の貫通孔１１を設ける。
【００１５】
扉１０の内外で対を成す台座５０、５０及び防火板１、１は複数のねじ杆による呼付け固定手段２によって共に扉１０に対し固定される。各呼付け固定手段２は外部に露出しない内側ねじ杆２１、ナット２２及び頭部が外部に露出する外側ねじ杆２３で構成される。
【００１６】
呼付け固定手段２の各部材２１、２２、２３は台座５０の材料よりも融点が高い金属材料、例えばステンレススチール等で製作される。
【００１７】
内側ねじ杆２１は一端部に雄ねじ又は雌ねじで成る第１ねじ部２１ａ及びフランジ部２１ｂを先端側から順に有すると共に、他端部には第２ねじ部２１ｃ及び第３ねじ部２１ｄを有する。
【００１８】
図示例においては、内側ねじ杆２１の第２ねじ部２１ｃは雄ねじとして形成され、第３ねじ部２１ｄは雌ねじとして形成してあるが、第２ねじ部２１ｃ及び第３ねじ部２１ｄを共通の雄ねじ又は径の異なる段状の雄ねじとすることもできる。
【００１９】
そして、内側ねじ杆２１の第１ねじ部２１ａは、一方の台座５０（図１で左方の台座）の内側に設けられ、雌ねじ又は雄ねじとして形成された第４ねじ部５０ａにねじ合わせると共に、その内側ねじ杆２１をねじ用の貫通孔１１をもって一方の防火板１に挿通させ、かつ、その防火板１を内側ねじ杆２１のフランジ部２１ｂと扉１０の一方の表面との間に挟み付けるようにする。
【００２０】
更に、内側ねじ杆２１の他端部には扉１０の他方の表面に配する他方の防火板１をねじ用の貫通孔１１をもって挿通させた後、内側ねじ杆２１の第２ねじ部２１ｃにナット２２をねじ込む。ここに、一方の台座５０及び内外両方の防止板１、１は内側ねじ杆２１及びナット２２によって扉１０に締着される。
【００２１】
次に、前記の内側ねじ杆２１の雌ねじ又は雄ねじとして形成された第３ねじ部２１ｄには、一端側に雄ねじ又は雌ねじを有し他端に頭部を有する外側ねじ杆２３を他方の台座５０のねじ挿通孔５０ｂに挿通させた後、該外側ねじ杆２３をねじ込み、扉１０に対しその台座５０を呼付け固定する。
【００２２】
外側ねじ杆２３のねじ部は、それをねじ合わせる第３ねじ部２１ｄの雌雄のねじに対応させて雄ねじ又は雌ねじとして形成される。
【００２３】
【発明の効果】
以上に説明したこの発明に係る扉錠の台座取付装置における防火構造は、火災時室外側又は室内側における一方の台座が溶融して扉の側面から脱落しても、扉の両側面に接するようにして配された対をなす防火板は、台座の材料よりも融点の高い金属材料で作られており、かつ複数の呼付け固定手段における内側ねじ杆とナットにより不動な状態で締着されているので、溶融していない他方の台座が蓋となって貫通切欠を覆う。
【００２４】
その為、扉の錠取付またはサムターン取付用の貫通切欠が剥き出しになることがなく、火炎が扉錠の台座取付部分を流通することによる扉の一方の側から他方の側への延焼を有効に防止することができる。
【００２５】
また、防火板を台座と扉表面との間に挿着するだけでよいので、この発明による扉錠の台座取付装置における防火構造を極めて低価格で提供できる、等種々の効果を奏する。
【図面の簡単な説明】
【図１】この発明に係る扉錠の台座取付装置における防火構造の実施例を示す縦断正面図。
【図２】図１の防火構造より取り外した扉の一方側における防火板を示し、（Ａ）は上方の錠組立部における防火板の側面図、（Ｂ）は下方の錠組立部における防火板の側面図である。
【符号の説明】
１０  扉
２０  錠箱
５０  台座
５０ａ  第４ねじ部
１  防火板
２  呼付け固定手段
２１  内側ねじ杆
２１ａ  第１ねじ部
２１ｂ  フランジ部
２１ｃ  第２ねじ部
２１ｄ  第３ねじ部
２２   ナット
２３   外側ねじ杆
【図１】
0004051108.tif 000002
【図２】
0004051108.tif 000003